(57)【特許請求の範囲】
【請求項１】
基板上に形成された複数の走査線及び信号線と、前記走査線及び信号線によって区画された複数の画素領域とを備える電気光学装置において、
互いに対向配置された第１基板及び第２基板を有し、
前記第１基板には、前記複数の走査線及び信号線が形成され、
前記第２基板の前記第１基板と対向する側には、前記画素領域の境界と、前記画素領域と平面視で重畳すると共に前記画素領域に対して等間隔となる位置と、にルーバーが等間隔に形成されている、
電気光学装置。
【請求項２】
前記ルーバーは、前記走査線もしくは前記信号線の少なくとも一方と平面視で平行に形成されている、
請求項１に記載の電気光学装置。
【請求項３】
前記ルーバーは、前記走査線及び信号線と平面視で平行となるようにマトリクス状に形成されている、
請求項１に記載の電気光学装置。
【請求項４】
前記第１基板及び第２基板間には液晶層が挟持されており、
前記ルーバーは前記第２基板を構成する透明基板の表面に形成されていると共に、
前記ルーバー間には透明材料層が配置され、
前記ルーバーの表面には遮光部材が配置され、
さらに、前記透明材料層の表面及び前記遮光部材の表面にはカラーフィルター層が形成されている、
請求項２または３に記載の電気光学装置。
【請求項５】
前記ルーバーは、前記第２基板に設けられる前記透明材料層と前記遮光部材との間に形成されている、
請求項４に記載の電気光学装置。
【発明の詳細な説明】
【技術分野】
【０００１】
本発明は、視野角制御手段を備えた電気光学装置に関し、特に視野角制御手段としての
ルーバーを形成しても透過率の低下を抑制でき、輝度の低下及びばらつきを抑制できる電
気光学装置に関する。
【背景技術】
【０００２】
近年、電気光学装置は表示用として多くの電子機器に使用されている。特に、プラズマ
表示装置、有機ＥＬ（Electroluminescence）表示装置、液晶表示装置等は広視野角を得
ることができることから、テレビやパソコン等において広く用いられるようになってきて
いる。
【０００３】
一方、携帯電話機や銀行のＡＴＭ（Automated Teller Machine：現金自動預け払い機）
等では、覗かれたくない秘匿情報や個人情報が表示されるため、他人に視認されないよう
にするためには視野角は狭い方が望ましいとされている。
【０００４】
下記非特許文献１には、マイクロルーバーフィルムをＰＥＴ（polyethylene terephtha
late）などのフィルムでラミネートした構造で、透過光の方向と可視角度をコントロール
し、必要な範囲に透過し不要な部分への照射を制限した、視野角調整フィルムが開示され
ている。この視野角調整フィルムを各種表示画面の前面に配置すると、透過光の射出方向
や可視範囲を調整することができ、周囲からの覗き見等を防止し、プライバシーを保護で
きるとされている。
【０００５】
また、下記特許文献１には、光吸収領域が形成された視野角制御素子及びこれを備えた
ディスプレイの発明が開示されている。すなわち、下記特許文献１の光線方向制御素子で
は、透明パターンの膜厚によって光吸収領域の膜厚が定まるので、光吸収領域の膜厚制御
を容易に行うことができ、光吸収領域のアスペクト比（断面における幅に対する高さの割
合）を高くすることが可能であって、光線の広がり角を維持しながら透過率を向上させる
ことができるとされている。そして、下記特許文献１の光線方向制御素子を用いると、透
過光線の広がり角が小さくて高い光透過率を実現できる光源及び表示装置を提供すること
ができるとされている。
【先行技術文献】
【特許文献】
【０００６】
【特許文献１】特開２００７−３３４２７９号公報
【非特許文献】
【０００７】
【非特許文献１】住友スリーエム株式会社  視野角調整フィルム  「ライトコントロールフィルム」のカタログ
【発明の概要】
【発明が解決しようとする課題】
【０００８】
しかしながら、電気光学装置の視野角を調整するために、上記非特許文献１に開示され
ているような視野角調整フィルムを使用すると、電気光学装置の製造費用が増加するので
、高価な製品となってしまう。また、この視野角調整フィルムを様々な電気光学装置のパ
ネル面に取付ける際に、パネルの画素領域の間隔とフィルムに形成されたルーバーとの間
隔がずれていると、画素領域と重なったルーバーにより透過光が遮られ、透過率が減少し
て輝度が低下したり、表示面内で画素領域に対するルーバーの位置がばらつくため、表示
面内での輝度のばらつきが生じたりという課題が存在する。また、上記特許文献１に開示
されている光吸収領域が形成された光線方向制御素子を用いた場合においても、上記非特
許文献１の視野角調整フィルムの場合と同様に、光吸収領域と画素領域との間隔が考慮さ
れていないため、電気光学装置のパネル面に取付ける際には同様の課題が生じることにな
る。
【０００９】
本発明者は、視野角の制御のためにルーバーを形成する際、ルーバーを画素領域と重畳
しないように形成することで、ルーバーが透過光を遮るという課題を解決できることを見
出し、本発明を完成するに至ったものである。すなわち、本発明の目的は、視野角制御用
のルーバーを形成しても、透過率が低下せず、輝度の低下及びばらつきを抑制し、且つ安
価に作製し得る電気光学装置を提供することにある。
【課題を解決するための手段】
【００１０】
上記目的を達成するため、本発明の電気光学装置は、基板上に形成された複数の走査線及び信号線と、前記走査線及び信号線によって区画された複数の画素領域とを備える電気光学装置において、前記基板には、前記画素領域の境界と、前記画素領域と平面視で重畳する位置と、にルーバーが等間隔に形成されている。
【００１１】
本発明の電気光学装置によれば、形成されるルーバーの高さを低くしても視野角の制御を行うことができると共に、ルーバーの高さが低くてもすむので、ルーバーの破損を抑制することができ、かつ薄型の電気光学装置を提供することができる。また、本発明の電気光学装置では、画素領域とも重畳するようにルーバーが形成されるようになるが、ルーバーが等間隔に形成されているために、透過率はやや低下するものの輝度のばらつきをさらに抑制することができる。また、視野角調整フィルムを使用しなくてよいので安価な電気光学装置を提供することができる。
【００１２】
また、本発明の電気光学装置においては、
前記電気光学装置は、互いに対向配置された第１基板及び第２基板を有し、
前記複数の走査線及び信号線は前記第１基板形成され、
前記ルーバーは前記第２基板に形成されているものとすることができる。
【００１３】
本発明の電気光学装置によれば、基板を一つしか用いない電気光学装置だけでなく、複
数の基板を備えた電気光学装置においても上記効果を奏することができる。
【００１４】
また、本発明の電気光学装置においては、前記ルーバーは、前記第２基板の前記第１基
板と対向する側に形成されていることが好ましい。
【００１５】
本発明の電気光学装置では、ルーバーは第２基板（例えば、カラーフィルター基板）の
内部に形成される、いわゆるインセルルーバーとなるので、外部からの物理的接触等によ
るルーバーの破損を抑制することができる。
【００２０】
また、本発明の電気光学装置においては、前記ルーバーは、前記走査線もしくは前記信
号線の少なくとも一方と平面視で平行に形成されていることが好ましい。
【００２１】
本発明の電気光学装置では、ルーバーが基板に対して平面視で走査線と平行に形成され
た場合は、行方向に延伸されるルーバーが複数本形成されるため、上下方向の視野角を制
御することができる。一方、ルーバーが信号線と平行に形成された場合は、列方向に延伸
されるルーバーが複数本形成されるため、左右方向の視野角を制御することができる。さ
らに、ルーバーが基板に対して平面視で走査線と信号線の両方と平行に形成されると、ル
ーバーはマトリクス状に形成されることになり、上下左右方向の視野角を制御することが
できる。以上より、本発明の電気光学装置によれば、視野角の制御を透過率の低下や輝度
のバラツキを抑制した電気光学装置を得ることができる。
【００２４】
また、本発明の電気光学装置においては、
前記第１基板及び前記第２基板間には液晶層が挟持されており、
前記ルーバーは前記第２基板を構成する透明基板の表面に形成されていると共に、
前記ルーバー間には透明材料層が配置され、
前記ルーバーの表面には遮光部材が配置され、
さらに、前記透明材料層の表面及び前記遮光部材の表面にはカラーフィルター層が形成
されていることが好ましい。
【００２５】
本発明の電気光学装置では、上記ルーバーが形成されることによる効果を奏する液晶表
示装置を提供することができる。
【００２６】
また、本発明の電気光学装置においては、前記ルーバーは、前記第２基板に設けられる
前記透明材料層と前記遮光層との間に形成されていることが好ましい。
【００２７】
本発明の電気光学装置では、ルーバーとカラーフィルター層との間に遮光層が形成され
ることになるので、隣接する画素領域からの光漏れによる混色を抑制することができる。
【００２８】
また、本発明の電気光学装置においては、前記ルーバーは、前記第２基板の前記液晶層
と接する側と反対側の面に形成されていることが好ましい。
【００２９】
本発明の電気光学装置では、ルーバーは第２基板の液晶層と接する側と反対側の面、す
なわち、第２基板の外側の面に形成される、いわゆるオンセルルーバーとなる。そのため
、第２基板としては従来例のものと同様のものを用いることができ、ルーバーはこの第２
基板上に形成されることになる。よって、本発明の電気光学装置によれば、第２基板内に
ルーバーが形成されないため、第２基板の表面平坦性に影響を与えないようにしつつ、か
つルーバーが形成されることによる視野角制御を透過率の低下を抑制し、輝度の低下及び
ばらつきを抑制した電気光学装置が得られる。
【図面の簡単な説明】
【００３０】
【図１】本発明の実施形態１〜７に共通する液晶表示装置の平面図である。
【図２】実施形態１の液晶表示装置のカラーフィルター基板を透視して示す１サブ画素分の拡大平面図である。
【図３】図２のIII−III線で切断した断面図である。
【図４】図４Ａは実施形態１のカラーフィルター基板の平面図であり、図４Ｂは図４ＡのIVB−IVB線での断面図であり、図４Ｃは図４ＡのIVC−IVC線での断面図である。
【図５】図５Ａは実施形態２のカラーフィルター基板の平面図であり、図５Ｂは図５ＡのVB−VB線での断面図であり、図５Ｃは図５ＡのVC−VC線での断面図である。
【図６】図６Ａは実施形態３のカラーフィルター基板の平面図であり、図６Ｂは図６ＡのVIB−VIB線での断面図であり、図６Ｃは図６のVIC−VIC線での断面図である。
【図７】図７Ａは実施形態４のカラーフィルター基板の平面図であり、図７Ｂは図７ＡのVIIB−VIIB線での断面図であり、図７Ｃは図７ＡのVIIC−VIIC線での断面図である。
【図８】図８Ａは実施形態５のカラーフィルター基板の平面図であり、図８Ｂは図８ＡのVIIIB−VIIIB線での断面図であり、図８Ｃは図８ＡのVIIIC−VIIIC線での断面図である。
【図９】図９Ａは実施形態６のカラーフィルター基板の平面図であり、図９Ｂは図９ＡのIXB−IXB線での断面図であり、図９Ｃは図９ＡのIXC−IXC線での断面図である。
【図１０】図１０Ａは実施形態７のカラーフィルター基板の平面図であり、図１０Ｂは図１０ＡのXB−XB線での断面図であり、図１０Ｃは図１０ＡのXC−XC線での断面図である。
【図１１】図１１Ａは従来例のカラーフィルター基板の平面図であり、図１１Ｂは図１１ＡのXIB−XIB線での断面図であり、図１１Ｃは図１１ＡのXIC−XIC線での断面図である。
【発明を実施するための形態】
【００３１】
以下、本発明を実施するための形態について、実施形態及び図面を参照しながら詳細に
説明する。ただし、以下に示す実施形態は、本発明の電気光学装置の技術思想を具体化す
るために横電界方式のＦＦＳ（Fringe Field Switching）モードの液晶表示装置を例にと
って説明するものであって、本発明をこの実施形態に記載されたＦＦＳモードの液晶表示
装置に特定することを意図するものではなく、本発明は特許請求の範囲に含まれるその他
の実施形態のものにも等しく適応し得るものである。なお、この明細書における説明のた
めに用いられた各図面においては、各層や各部材を図面上で認識可能な程度の大きさとす
るため、各層や各部材毎に縮尺を異ならせて表示しており、必ずしも実際の寸法に比例し
て表示されているものではない。
【００３２】
［実施形態１］
まず、図１を参照して、実施形態１の液晶表示装置１０Ａの構成について説明する。図
１に示すように、実施形態１の液晶表示装置１０Ａは、ガラス等からなる第１透明基板１
２上に各種配線等を形成したアレイ基板１１（本発明の「第１基板」に対応）とガラス等
からなる第２透明基板２９上にカラーフィルター層等を形成したカラーフィルター基板２
８Ａ（本発明の「第２基板」に対応）が対向配置されている。そして、このアレイ基板１
１とカラーフィルター基板２８Ａはシール材３６で貼り合わされており、このシール材３
６で形成された空間内に液晶４３（図３参照）が封入されている。また、シール材３６で
囲まれて液晶４３が封入された部分が表示領域３７となり、この表示領域３７の外側が非
表示領域３８（「額縁領域」とも言う）となっている。
【００３３】
なお、アレイ基板１１はカラーフィルター基板２８Ａと対向配置させたときに所定スペ
ースの張出した部分が形成されるようにカラーフィルター基板２８Ａより若干サイズが大
きいものが使用されている。この張出した部分は、液晶４３を駆動するためのドライバー
ＩＣ４２等が配置される実装領域１２ａとなっている。また、実施形態１の液晶表示装置
１０Ａでは、液晶注入口３９がシール材３６により形成され、この液晶注入口３９を封止
材４０で封止した例を示している。
【００３４】
次に各基板の構成について、図２及び図３を参照して説明する。先ず、アレイ基板１１
には、第１透明基板１２の表面に例えばＭｏ／Ａｌの２層配線からなる複数の走査線１３
が互いに平行になるように形成されている。また、この走査線１３が形成された第１透明
基板１２の表面全体に亘って窒化ケイ素ないしは酸化ケイ素等の透明絶縁材料からなるゲ
ート絶縁膜１５が被覆されている。さらに、このゲート絶縁膜１５の表面のスイッチング
素子としての薄膜トランジスター（ＴＦＴ：Thin Film Transistor）２０が形成される領
域には例えばアモルファスシリコン層からなる半導体層１６が形成されている。この半導
体層１６が形成されている位置の走査線１３の領域がＴＦＴ２０のゲート電極Ｇを形成す
る。
【００３５】
また、ゲート絶縁膜１５の表面には、例えばＭｏ／Ａｌ／Ｍｏの３層構造の導電性層か
らなるソース電極Ｓを含む信号線１４及びドレイン電極Ｄが形成されている。この信号線
１４のソース電極Ｓ部分及びドレイン電極Ｄ部分は、いずれも半導体層１６の表面に部分
的に重なっている。また、このアレイ基板１１の表面全体に亘って窒化ケイ素ないしは酸
化ケイ素等の透明絶縁材料からなるパッシベーション膜１７が被覆されている。さらに、
このパッシベーション膜１７の表面全体に例えば樹脂材料からなる層間膜２１が被覆され
ており、ドレイン電極Ｄに対応する位置のパッシベーション膜１７及び層間膜２１にはコ
ンタクトホール２６が形成されている。
【００３６】
そして、図２に示したパターンとなるように、走査線１３及び信号線１４で囲まれた領
域（以下「画素領域４１」という）の層間膜２１上に、例えばＩＴＯ（Indium Thin Oxid
e）ないしＩＺＯ（Indium Zinc Oxide）からなる透明導電性材料で下電極２２が形成され
ている。この下電極２２はコンタクトホール２６を介してドレイン電極Ｄと電気的に接続
されている。そのため、この下電極２２は画素電極として作動する。さらに、この下電極
２２上には電極間絶縁膜２３が形成されている。この電極間絶縁膜２３には、例えば窒化
ケイ素等の絶縁性が良好な透明絶縁材料が使用される。
【００３７】
そして、この電極間絶縁膜２３上には画素領域４１に複数の、例えば平面視でくし歯状
のスリット２５を有するＩＴＯないしＩＺＯからなる透明導電性材料で上電極２４が形成
されている。そして、この基板の表面全体に亘り所定の配向膜（図示せず）が形成されて
いる。この上電極２４は、表示領域３７の全体に亘って形成されており、非表示領域３８
において共通配線（図示省略）と電気的に接続されている。そのため、上電極２４は共通
電極として作動する。
【００３８】
また、カラーフィルター基板２８Ａは、図３に示すように、ガラス基板等からなる第２
透明基板２９の表面に透明材料層３０Ａが所定の厚さに形成され、この透明材料層３０Ａ
には、平面視でアレイ基板１１の信号線１４と平行に重畳するように光吸収材料からなる
ルーバー３１Ａが透明材料層３０Ａと略同じ厚さで形成されている（図４参照）。また、
アレイ基板１１の走査線１３及びＴＦＴ２０に対応する位置を被覆するように遮光層３２
が形成されている。なお、透明材料層３０Ａ及びルーバー３１Ａの厚さは、例えばこの遮
光層３２の厚さの１０倍〜１５倍程度である。
【００３９】
そして、遮光層３２が形成された第２透明基板２９の表面には、複数色、例えば赤、緑
、青（図４参照）の３色からなるカラーフィルター層３３が形成されている。さらに、遮
光層３２及び、カラーフィルター層３３の表面を被覆するように透明樹脂からなるオーバ
ーコート層３４が形成されている。また、オーバーコート層３４の表面には、カラーフィ
ルター基板２８Ａの表面全体に亘り、配向膜（図示省略）が形成されている。また、アレ
イ基板１１及び、カラーフィルター基板２８Ａの外面にはそれぞれ偏光板２７、３５が設
けられている。
【００４０】
そして、これらのアレイ基板１１とカラーフィルター基板２８Ａのいずれか一方にシー
ル材３６を塗布し貼り合わせを行う。その後、シール材３６で形成した液晶注入口３９か
ら液晶４３を注入し、液晶注入口３９を封止材４０で封止し、実装領域１２ａにドライバ
ーＩＣ４２等を設置することで、実施形態１の液晶表示装置１０Ａとなる。
【００４１】
次に、図４及び図１１を参照して、カラーフィルター基板２８Ａにルーバー３１Ａが形
成されたことによる視野角の制御の効果を、従来例と比較しながら説明する。なお、図１
１に示す従来例としての液晶表示装置１０'は、ルーバー３１'が形成される位置が異なる
のみで、他の構成は実施形態１の液晶表示装置１０Ａと共通しているので、共通する構成
部分には同一の参照符号を付し、詳細な説明は省略する。
【００４２】
図４Ａ〜図４Ｃに示すように、実施形態１の液晶表示装置１０Ａでは、光吸収材料から
なるルーバー３１Ａは、カラーフィルター基板２８Ａの第２透明基板２９と遮光層３２の
間に、平面視でアレイ基板１１に形成された信号線１４と平行に重畳するように、形成さ
れている。さらに、ルーバー３１Ａは信号線１４と同様に等間隔に形成されている。なお
、実施形態１の液晶表示装置１０Ａは、ルーバー３１Ａが信号線１４と平行、すなわち基
板に対して縦方向に形成されているので、左右方向への透過光が遮られることになるので
、左右方向の視野角を制御することができるようになる。
【００４３】
一方、図１１に示すように、従来の視野角の制御がされた液晶表示装置１０'では、カ
ラーフィルター基板２８'に形成されたルーバー３１'は、間に透明材料層３０'を挟んで
、画素領域４１の間の間隔を考慮せずに形成されている。そのため、ルーバー３１'は画
素領域４１の表面の一部に重畳して形成される場合が生じることになる。そうなると、透
過光４４'は画素領域４１の表面の一部に重畳して形成されるルーバー３１'により遮られ
ることで透過率が低下し、表示画面の輝度を低下させ、鮮明な表示が困難となってしまう
。さらに、ルーバー３１'は画素領域４１の表面に不規則に形成されるから、ルーバー３
１'が画素領域４１の表面に形成されている部分、形成されていない部分、さらには一部
分だけ形成されている部分とでは透過率が異なり、その結果、輝度にバラツキが生じるこ
とになる。これは、完成された表示画面側に視野角調整フィルムを設置した場合でも同様
である。
【００４４】
そこで、実施形態１の液晶表示装置１０Ａによれば、ルーバー３１Ａが形成される位置
と画素領域４１の間との間隔が一致するようにし、ルーバー３１Ａは画素領域４１の表面
には形成されない状態としている。そのため、透過光４４がルーバー３１Ａにより遮られ
ることを抑制し透過率の低下を抑制しつつ左右方向の視野角の制御をすることができる。
また、ルーバー３１Ａは各画素領域４１の間に等間隔に規則正しく形成されるので、画素
領域４１ごとに透過率が異なることを抑制することができ、輝度のばらつきを抑制するこ
ともできる。
【００４５】
さらに、実施形態１の液晶表示装置１０Ａでは、ルーバー３１Ａはカラーフィルター基
板２８Ａの内部に形成された、いわゆるインセルルーバーであるので、外部からの物理的
接触等によりルーバー３１Ａの破損を抑制することができる。さらにまた、実施形態１の
液晶表示装置１０Ａでは、ルーバー３１Ａとカラーフィルター層３３との間に遮光層３２
が形成されているので、隣接する画素領域４１からの光漏れによる混色を抑制することが
できる。
【００４６】
これは、例えば遮光層３２をカラーフィルター２８Ａの第２透明基板２９側に先に形成
しておき、その後でルーバー３１Ａが形成されている構造となっている場合、遮光層３２
とカラーフィルター層３３との距離が離れてしまっている。そうすると、ルーバー３１Ａ
が延在する方向と直交する方向（実施形態１においては走査線１３が延在する方向）では
、ルーバー３１Ａ自体が遮光層としても機能するため、隣接する画素での混色が生じない
。一方、ルーバー３１Ａが延在する方向と平行な方向（実施形態１においては信号線１４
が延在する方向）では、遮光層３２がカラーフィルター層３３から離れてしまって存在し
ているので、遮光層３２に到達するまでの間に光が隣接する画素間で混色してしまうこと
になる。しかしながら、本実施形態１のように、ルーバー３１Ａとカラーフィルター層３
３との間に遮光層３２が形成されている構成、言いかえればルーバー３１Ａよりも液晶層
３３側に遮光層３２及びカラーフィルター層３３が存在しているため、このような混色の
問題を抑制することもできる。
【００４７】
以上より、実施形態１の液晶表示装置１０Ａによれば、視野角の制御ができ、しかも透
過率の低下や輝度のバラツキを抑制した液晶表示装置を得ることができる。また、従来例
のように、視野角調整フィルムを使用しなくてよいので安価な液晶表示装置を提供するこ
とができる。
【００４８】
［実施形態２］
次に、実施形態２の液晶表示装置１０Ｂを、図５を参照して説明する。なお、実施形態
２の液晶表示装置１０Ｂは、実施形態１の液晶表示装置１０Ａに対して、ルーバーの形成
される向きが異なるのみなので、共通する部分には同一の符号を付し、詳細な説明は省略
する。
【００４９】
図５Ａ〜図５Ｃに示すように、実施形態２の液晶表示装置１０Ｂでは、光吸収材料から
なるルーバー３１Ｂは、間に透明材料層３０Ｂを挟んで、カラーフィルター基板２８Ｂの
第２透明基板２９と遮光層３２の間にアレイ基板１１に形成された走査線１３と平行に重
畳するように形成されている。さらに、ルーバー３１Ｂは、走査線１３と同様に等間隔に
形成されている。なお、実施形態２の液晶表示装置１０Ｂは、ルーバー３１Ｂが走査線１
３と平行、すなわち基板に対して横方向に形成されているので、透過光の上下方向への透
過が遮られることになるので、上下方向の視野角を制御することができるようになる。な
お、他の構成は実施形態１の液晶表示装置１０Ａと同様である。
【００５０】
そのため、実施形態２の液晶表示装置１０Ｂによれば、上記実施形態１の液晶表示装置
１０Ａと同様に、ルーバー３１Ｂの形成される位置と画素領域４１の間との間隔が一致す
るようにルーバー３１Ｂが形成されるので、ルーバー３１Ｂは画素領域４１の表面に形成
されなくなるため、透過光がルーバー３１Ｂにより遮られることを抑制し透過率の低下を
抑制しつつ上下方向の視野角の制御をすることができる。また、ルーバー３１Ｂは各画素
領域４１の間に等間隔に規則正しく形成されるので、画素領域４１ごとに透過率が異なる
ことを抑制することができ、輝度のばらつきを抑制することもできる。なお、実施形態２
の液晶表示装置においても、ルーバー３１Ｂがインセルルーバーであること、及び、カラ
ーフィルター基板２８Ｂに遮光層３２が形成されていること等により、実施形態１の液晶
表示装置１０Ａと同様の効果も奏することができる。
【００５１】
［実施形態３］
次に、実施形態３の液晶表示装置１０Ｃについて、図６を参照して説明する。なお、実
施形態３の液晶表示装置１０Ｃは、実施形態１の液晶表示装置１０Ａに対して、ルーバー
の形成される間隔が異なるのみなので、共通する部分には同一の符号を付し、詳細な説明
は省略する。
【００５２】
図６Ａ〜図６Ｃに示すように、実施形態３の液晶表示装置１０Ｃでは、光吸収材料から
なるルーバー３１Ｃは、間に透明材料層３０Ｃを挟んで、カラーフィルター基板２８Ｃの
第２透明基板２９と遮光層３２の間にアレイ基板１１に形成された信号線１４と平行に重
畳するように形成されている。さらに、ルーバー３１Ｃは、信号線１４に対して間欠的に
形成されている。なお、実施形態３の液晶表示装置１０Ｃは、ルーバー３１Ｃが信号線１
４と平行、すなわち基板に対して縦方向に形成されているので、透過光の左右方向への透
過が遮られることになるので、左右方向の視野角を制御することができるようになる。ま
た、ルーバー３１Ｃ同士の形成される間隔は、実施形態１の液晶表示装置１０Ａに比べ、
間隔が開いて形成されることになる。
【００５３】
そのため、実施形態３の液晶表示装置１０Ｃによれば、ルーバー３１Ｃ同士の形成され
る間隔を調整することにより、視野角の広狭を調整することができ、要求される視野角に
応じた液晶表示装置の設計の幅を広げることができる。さらに、実施形態３の液晶表示装
置１０Ｃも実施形態１の液晶表示装置１０Ａと同様に、ルーバー３１Ｃが画素領域４１の
表面に形成されておらず、また、間欠的に等間隔に形成されているので、透過光が遮られ
ることが抑制され、輝度の低下及び輝度のばらつきを抑制することができる。また、ルー
バー３１Ｃがインセルルーバーであること、及び、カラーフィルター基板２８Ｃに遮光層
３２が形成されていること等により、実施形態１の液晶表示装置１０Ａと同様の効果も奏
することができる。
【００５４】
［実施形態４］
次に、実施形態４の液晶表示装置１０Ｄについて、図７を参照して説明する。なお、実
施形態４の液晶表示装置１０Ｄは、実施形態１の液晶表示装置１０Ａに対して、ルーバー
の形成される間隔が異なるのみなので、共通する部分には同一の符号を付し、詳細な説明
は省略する。
【００５５】
図７Ａ〜図７Ｃに示すように、実施形態４の液晶表示装置１０Ｄは、実施形態１の液晶
表示装置１０Ａと同様に光吸収材料からなるルーバー３１Ｄは、間に透明材料層３０Ｄを
挟んで、カラーフィルター基板２８Ｄの第２透明基板２９と遮光層３２の間にアレイ基板
１１に形成された信号線１４と平行に重畳するように形成されている。それに加え、実施
形態４の液晶表示装置１０Ｄでは、ルーバー３１Ｄは信号線１４と重畳して形成されたル
ーバー３１Ｄ同士の間にも形成されている。なお、実施形態４の液晶表示装置１０Ｄは、
ルーバー３１Ｄが信号線１４と平行、すなわち基板に対して縦方向に形成されているので
、透過光の左右方向への透過が遮られることになるので、左右方向の視野角を制御するこ
とができるようになる。また、ルーバー３１Ｄの形成される間隔は、実施形態１の液晶表
示装置１０Ａに比べ、狭めて形成されることになる。
【００５６】
このようにすることで、実施形態４の液晶表示装置１０Ｄでは、ルーバー３１Ｄの数を
実施形態１の液晶表示装置１０Ａより多く形成することになるので、形成されるルーバー
３１Ｄの高さを低くしても実施形態１の液晶表示装置１０Ａと同様の視野角の制御を行う
ことができる。さらに、ルーバー３１Ｄの高さが低く形成されることで、ルーバー３１Ｄ
の破損をさらに抑制することができる。また、実施形態４の液晶表示装置１０Ｄでは、ル
ーバー３１Ｄが画素領域４１と重畳して形成されることになるが、この画素領域のルーバ
ー３１Ｄは各画素領域４１に対して等間隔に形成されることになり、各画素領域４１の透
過率はやや低下するものの透過光が遮られる割合がすべての画素領域４１で略同じとなる
ため、輝度のばらつきをさらに抑制することができる。さらに、ルーバー３１Ｄを低く形
成できるので、薄型化の液晶表示装置に対応することができる。また、ルーバー３１Ｄが
インセルルーバーであること、及び、カラーフィルター基板２８Ｄに遮光層３２が形成さ
れていること等により、実施形態１の液晶表示装置１０Ａと同様の効果も奏することがで
きる。
【００５７】
［実施形態５］
次に、実施形態５の液晶表示装置に１０Ｅついて、図８を参照して説明する。なお、実
施形態５の液晶表示装置１０Ｅは、実施形態１の液晶表示装置１０Ａに対して、ルーバー
３１Ｅの形成される部分が異なるのみなので、共通する部分には同一の符号を付し、詳細
な説明は省略する。
【００５８】
図８Ａ〜図８Ｃに示すように、実施形態５の液晶表示装置１０Ｅでは、光吸収材料から
なるルーバー３１Ｅは、間に透明材料層３０Ｅを挟んで、カラーフィルター基板２８Ｅの
第２透明基板２９と遮光層３２の間にアレイ基板１１に形成された信号線１４及び走査線
１３と平行に重畳するように形成されている。すなわち、ルーバー３１Ｅはマトリクス状
に形成されている。そのため、実施形態５の液晶表示装置１０Ｅは、ルーバー３１Ｅが信
号線１４及び走査線１３と平行、すなわち第２透明基板２９に対して縦方向及び横方向に
形成されているので、左右方向及び上下方向への透過光が遮られることになるので、左右
方向及び上下方向の視野角を制御することができるようになる。
【００５９】
このようにすることで、実施形態５に液晶表示装置１０Ｅも、実施形態１の液晶表示装
置１０Ａと同様に、透過光が遮られることが抑制され、輝度の低下を抑制しつつ、輝度の
ばらつきを抑制することができ、しかも、上下左右方向の視野角を制御した液晶表示装置
１０Ｅとなる。また、ルーバー３１Ｅがインセルルーバーであること、及び、カラーフィ
ルター基板２８Ｅに遮光層３２が形成されていること等により、実施形態１の液晶表示装
置１０Ａと同様の効果も奏することができる。なお、実施形態５の液晶表示装置１０Ｅで
は、ルーバー３１Ｅは１つの画素領域を取り囲むように形成した場合を説明したが、これ
に限らず、複数の画素領域を取り囲むようにしてもよい。このようにすることで、視野角
の広狭を変更することができ、要求される視野角に応じて視野角の制御を行うことができ
る。
【００６０】
［実施形態６］
次に、実施形態６の液晶表示装置１０Ｆについて、図９を参照して説明する。実施形態
６の液晶表示装置１０Ｆは、ルーバー３１Ｆがカラーフィルター基板２８Ｆの液晶４３と
接する側と反対側の面、すなわち、カラーフィルター基板２８Ｆの外側の面に形成されて
いる。なお、その他の部分は実施形態１の液晶表示装置１０Ａと共通するので、共通する
部分には同一の符号を付し、詳細な説明は省略する。
【００６１】
図９Ａ〜図９Ｃに示すように、実施形態６の液晶表示装置１０Ｆでは、光吸収材料から
なるルーバー３１Ｆは、間に透明材料層３０Ｆを挟んで、カラーフィルター基板２８Ｆの
液晶４３と接する側と反対側の面（第２透明基板２９において液晶４３が存在している面
とは反対側の面）、即ち、カラーフィルター基板２８Ｆの外側の面にアレイ基板１１に形
成された信号線１４と平行に重畳するように形成されている。さらに、ルーバー３１Ｆは
、信号線１４と同様に等間隔に形成されている。なお、実施形態６の液晶表示装置１０Ｆ
は、ルーバー３１Ｆが信号線１４と平行、すなわち基板に対して縦方向に形成されている
ので、透過光の左右方向への透過が遮られることになるので、左右方向の視野角を制御す
ることができるようになる。
【００６２】
このようにすることで、実施形態６の液晶表示装置１０Ｆでは、ルーバー３１Ｆはカラ
ーフィルター基板２８Ｆの外側の面に形成される、いわゆるオンセルルーバーとなる。そ
のため、カラーフィルター基板２８Ｆは従来と変わりなく製造されることになり、ルーバ
ー３１Ｆはこのカラーフィルター基板２８Ｆ上に形成されることになる。
【００６３】
よって、実施形態６の液晶表示装置によれば、カラーフィルター基板２８Ｆ内にルーバ
ー３１Ｆが形成されないため、カラーフィルター基板２８Ｆの表面平坦性に影響を与えな
いようにしつつ、かつルーバー３１Ｆが形成されることによる視野角の制御を透過率の低
下を抑制し輝度の低下及びばらつきを抑制することができる。
【００６４】
［実施形態７］
次に、実施形態７の液晶表示装置１０Ｇについて、図１０を参照して説明する。実施形
態７の液晶表示装置１０Ｇは、ルーバー３１Ｇが上記実施形態５の液晶表示装置１０Ｅと
同様に信号線１４及び走査線１３と平行に重畳するようにマトリクス状に形成されており
、カラーフィルター基板２８Ｇに遮光層３２が形成されていないものである。なお、その
他の構成は実施形態１の液晶表示装置１０Ａと共通するので、共通する部分には同一の符
号を付し、詳細な説明は省略する。
【００６５】
実施形態７の液晶表示装置１０Ｆでは、カラーフィルター基板２８Ｆにはルーバー３１
Ｆが、間に透明材料層３０Ｇを挟んで、マトリクス状に形成されており、実施形態５の液
晶表示装置１０Ｅで説明したような遮光層３２は形成されていない。しかし、ルーバー３
１Ｇは、光吸収材料で形成されているため、透過光を遮ることができる。そのため、実施
形態７の液晶表示装置１０Ｇによれば、ルーバー３１Ｇを信号線１４及び走査線１３と平
行に重畳するようにマトリクス状に形成するので、混色を抑制する等の遮光層の役割をル
ーバー３１Ｇが果たすことができる。そのため、実施形態７の液晶表示装置１０Ｆによれ
ば、遮光層を形成する必要がなくなるので、安価に作製し得る電気光学装置を提供するこ
とができる。さらに、ルーバー３１Ｇは、視野角制御の役割を果たすため、ルーバーをマ
トリクス状に形成した上記実施形態５の液晶表示装置１０Ｅと同様の作用効果も奏するこ
とができるようになる。
【００６６】
なお、上記実施形態３、４、６の液晶表示装置ではルーバーが信号線と平行に形成され
た場合を説明したが、これに限らず、ルーバーは、走査線と平行に形成されていてもよく
、さらには、マトリクス状に形成されていてもよい。
【００６７】
また、上記実施形態では横電界方式のＦＦＳモードの液晶表示装置について説明したが
、これに限らずＩＰＳ（In-Plane Switching）モードの液晶表示装置でもよく、さらには
、ＴＮ（Twisted Nematic）モード、ＶＡ（Vertical Alignment）モード、ＭＶＡ（Multi
-domain Vertical Alignment）モード等の縦電界方式の液晶表示装置にも適用できる。た
だし、本発明においてはルーバーを形成する工程が必要となる。そのため、横電界方式の
ように一方の基板に画素電極及び共通電極を形成する工程であれば、他方の基板において
ルーバーを形成する工程とは別に画素電極或いは共通電極を形成する工程が更に必要にな
る、ということがないので、一方の基板と他方の基板との製造工程時間の平準化を図るこ
とができるので好ましい。
【００６８】
さらに、上記実施形態は液晶表示装置について説明したが、これに限らす、他の電気光
学装置である、有機エレクトロルミネッセンス（ＥＬ）表示装置、無機ＥＬ表示装置、発
光ダイオード（ＬＥＤ）表示装置、電界放出型表示装置等、種々のものに適用することが
できる。なお上記実施形態における液晶表示装置では、アレイ基板とカラーフィルター基
板からなる一対の基板を用いた電気光学装置について説明したが、上述の他の電気光学装
置において基板を一つしか用いない場合であっても、画素領域を有する電気光学装置にル
ーバーを適用すればよい。
【符号の説明】
【００６９】
１０Ａ〜１０Ｇ、１０'：液晶表示装置  １１：アレイ基板  １２：第１透明基板  １２
ａ：実装領域  １３：走査線  １４：信号線  １５：ゲート絶縁膜  １６：半導体層  １
７：パッシベーション膜  ２０：ＴＦＴ  ２１：層間膜  ２２：下電極  ２３：電極間絶
縁膜  ２４：上電極  ２５：スリット  ２６：コンタクトホール  ２７：偏光板  ２８Ａ
〜２８Ｇ、２８'：カラーフィルター基板  ２９：第２透明基板    ３０Ａ〜３０Ｇ、３
０'：透明材料層  ３１Ａ〜３１Ｇ、３１'：ルーバー  ３２：遮光層  ３３：カラーフィ
ルター層  ３４：オーバーコート層  ３５：偏光板  ３６：シール材  ３７：表示領域  
３８：非表示領域  ３９：液晶注入口  ４０：封止材  ４１：画素領域  ４２：ドライバ
ーＩＣ  ４３：液晶  Ｓ：ソース電極  Ｄ：ドレイン電極  Ｇ：ゲート電極  
【図１】
0005520058.tif 000002
【図２】
0005520058.tif 000003
【図３】
0005520058.tif 000004
【図４】
0005520058.tif 000005
【図５】
0005520058.tif 000006
【図６】
0005520058.tif 000007
【図７】
0005520058.tif 000008
【図８】
0005520058.tif 000009
【図９】
0005520058.tif 000010
【図１０】
0005520058.tif 000011
【図１１】
0005520058.tif 000012